(57)【要約】【課題】立体的に形成される枕を、マチなし大袋が有する複数充填室内へ粒状充填物を入れて形成した枕本体と、該本体を入れた袋状カバーとで形成可能とした。【解決手段】枕本体１０と袋状カバー１１とで形成し、枕本体１０は、左右両側と、これ等両側中間部を前後両部と中央部との５つの充填室に区分する大袋１の各充填室内へ粒状充填物を入れて形成し、該枕本体を、枕本体よりも小さく設けた袋状カバー１１内へ入れて、中央部充填室５ａが低い枕とした。【選択図】    図６
2005021494.tif 000002
【特許請求の範囲】
【請求項１】
枕本体１０と、該枕本体を収納させた袋状カバー１１とからなり、枕本体１０は、左右方向へ長い長方形状大袋１の上下布地部分を縫合等させることで、該大袋内を左右両部と中間部とに、又該中間部を前後両部と中央部とに、それぞれほぼ３等分して、左右両部を大充填室４に、前後両部と中央部とを小充填室５にそれぞれ分割し、該大袋の大充填室と前後両充填室内とには適量の、又中央部の小充填室５ａ内へは他の充填室よりも小量の粒状充填物７を、それぞれ収納させて形成し、
袋カバー１１は、上記枕本体１０よりも小さく設けて該袋カバー内へ枕本体を収納させたとき、左右両大充填室４間の中間部側の側面２１と、前後および中央小充填室の左右側面２２とが、又小充填室の側面２２相互が接してそれ等両側面がほぼ起立可能に形成したことを特徴とする枕。
【請求項２】
上記左右の大充填室４と、中間部の前後および中央の小充填室５両側との間にアローアンス８を設けたことを特徴とする請求項１記載の枕。
【請求項３】
上記大袋１の左右両部の前後両部に上下布地接合線２を横設して、これ等両接合線間を大充填室４に、かつ両接合線よりも前後外方部分を遊び布９に形成し、充填物充填状態における大充填室４の前後方向長さを袋カバー１１の前後方向巾とほぼ等しく形成したことを特徴とする請求項１又は２記載の枕。
【発明の詳細な説明】
【０００１】
【発明の属する技術分野】
本発明は枕に関する。
【０００２】
【従来の技術】
枕内を、粒状充填物入りの複数充填室に分割させて形成することが知られている。（特許文献１）
【０００３】
【特許文献１】
特開２００２−２２３９１７号公報
【０００４】
【発明が解決しようとする課題】
近時枕が身体に与える影響が研究されており、枕内を複数の充填室で形成し、後頭部を載置する部分よりも頸椎部を載置させる部分を高くしてほぼ均等に頭部の重量を枕で支持させることが必要とされている。
【０００５】
枕内へはソバガラ等の粒状物を多量に流動可能に収納させるから、頸椎載置部分よりも後頭部載置部分を低くするためにはそれ等両載置部分内の充填物が移動しないように、各部分を区分することが必要である。
【０００６】
尚その区分としては上記両載置部分のほか、就寝中における頭のずれ防止部分を枕の左右に設けることが望ましく、又後頭部載置部分の前後へ高さの異る頸椎載置部分を設けて、その異る高さの頸椎載置部分を使い分けできるようにすることも望まれる。
【０００７】
上記のように枕内を複数の充填室に区分し、各充填室を立体的に形成するためには、各充填室の高さ形成のためのマチを付設することが必要であるが、このようなマチを付けると布地の裁断、縫製が面倒となり、多くの時間を要すると共に技術的にも高度であることが必要であった。
【０００８】
本発明は、上記各充填室を、マチを有しない平面的な縫製で形成し、充填室内へ充填物を入れた枕本体と、該枕本体よりも小さく設けた袋カバーとで、該袋カバー内へ上記枕本体を収縮状態に収納させることで形成できるよう設けたものであり、よって上記布地の裁断、縫製等を簡略化できるようにしたものである。
【０００９】
【課題を解決するための手段】
第１の手段として枕本体１０と、該枕本体を収納させた袋状カバー１１とからなり、枕本体１０は、左右方向へ長い長方形状大袋１の上下布地部分を縫合等させることで、該大袋内を左右両部と中間部とに、又該中間部を前後両部と中央部とに、それぞれほぼ３等分して、左右両部を大充填室４に、前後両部と中央部とを小充填室５にそれぞれ分割し、該大袋の大充填室と前後両充填室内とには適量の、又中央部の小充填室５ａ内へは他の充填室よりも小量の粒状充填物７を、それぞれ収納させて形成し、
袋カバー１１は、上記枕本体１０よりも小さく設けて該袋カバー内へ枕本体を収納させたとき、左右両大充填室４間の中間部側の側面２１と、前後および中央小充填室の左右側面２２とが、又小充填室の側面２２相互が接してそれ等両側面がほぼ起立可能に形成した。
【００１０】
第２の手段として、上記第１の手段を有すると共に上記左右の大充填室４と、中間部の前後および中央の小充填室５両側との間にアローアンス８を設けた。
【００１１】
第３の手段として、上記第１又は第２の手段を有すると共に上記大袋１の左右両部の前後両部に上下布地接合線２を横設して、これ等両接合線間を大充填室４に、かつ両接合線よりも前後外方部分を遊び布９に形成し、充填物充填状態における大充填室４の前後方向長さを袋カバー１１の前後方向巾とほぼ等しく形成した。
【００１２】
【発明の実施の形態】
以下図面について説明すると、本発明の枕は、枕本体と該枕本体を収納させた袋状カバーとで形成する。
【００１３】
枕本体は、平面的に上下布地を縫製等して形成した大袋が有する複数の充填室内へ、ソバガラ等の粉状充填物を収納させて形成する。
【００１４】
図１は充填物を収納させない状態で示す大袋１で、左右へ長い長方形状とし、かつその長方形を、左右両部と中間部とに縫合等による接合線２縦設によりほぼ３等分し、又その中間部を、上下両部と中央部とに、接合線２横設によりほぼ３等分し、上記左右両部を大充填室４に、又中間部の前後および中央部を小充填室５に、それぞれ形成している。各充填室にはファスナーによる出入部６を付設している。
【００１５】
大袋の左右横巾は８４センチ、前後巾は６０センチ、左右の大充填室４および中間部の各横巾は２８センチ、各小充填室の前後巾は２０センチ程度とすればよい。
【００１６】
上記大袋は、図３が示すように形成してもよい。該大袋は左右の大充填室４と中間部の小充填室との間に横巾約４センチ程度のアローアンス８を設け、又大充填室４の前後に約６センチの遊び布９を付設した。
【００１７】
該図３大袋の外形は図１の場合と同じで、大充填室４の横巾は２５センチ、中間部横巾は２６センチ、大充填室４の前後巾は４８センチ程度とする。
【００１８】
上記大袋の各充填室内へは、古くから知られているソバガラ等の粒状充填物を収納させて枕本体１０とする。尚近時上記充填物として弾性を有する合成樹脂製の小パイプを短かくリング状に切断したものも用いられている。その他枕内充填物に適するものであればどのようなものでもよい。
【００１９】
図１大袋の大充填室４および前小充填室内へは各室容量の５〜６割の、又後小充填室内へは９割、中央部の充填室５ａ内へは２〜３割程度の充填物を収納させる。
【００２０】
図３大袋の場合は大充填室４および前小充填室内へ７〜８割、後小充填室内へ９割、中央部小充填室５ａ内へ２〜３割の充填物を収納させるとよい。
【００２１】
アローアンス８および遊び布９は接合線２で形成して形成してもよく、又上下布地を接着ないし溶着させて形成してもよい。
【００２２】
袋状カバー１１は横巾６３センチ、前後巾４３センチ程度の長方形状としており、ファスナー付きの出入部１２を有する。
【００２３】
既述充填物入りの枕本体１０を、上記袋状カバー１１内へ図６、図７のように収納させて枕２１とする。袋状カバーは枕本体よりも小さく形成してあり、よって該カバー内で枕本体の各充填室はそれぞれ狭小化されることとなるから、各充填室内充填物がほぼ均等に収納されるよう、中央部小充填室５ａ上面が低く、又その他充填室上面部分が高くなるよう枕全体の形を整える。このように形を整えることで図６、図７が示すように各充填室の隣接する側面２１，２２  等相互は互いに圧接してほぼ起立状態とすることが出来る。
【００２４】
【発明の効果】
本発明は既述構成とするものであり、請求項１のようにすることで、大袋１の各充填室を平面的に形成でき、その各充填室内へ充填物を入れて枕本体１０となし、該枕本体を袋カバー１１内へ入れることで、各充填室を立体化できるから、マチ付きの枕とする場合に比べてその作成がはるかに容易となる。
【００２５】
請求項２のようにアローアンス８を設けることで各充填室容量を狭めて各充填室内における充填物の流動性を制限させることが出来、よって枕本体１０を袋カバー１１内へ入れ易く、又袋カバー内へ入れた後における調整、つまり枕中央部を低く、又他の充填室部分上方の高さを枕使用者の好みの高さにすることが容易となる。
【００２６】
請求項３のようにすることで、大充填室の容量を請求項２の場合よりも更に狭めることが出来るから、上記袋カバー内への枕本体の収納の容易性および枕高さの調整が更に容易となると共に、充填物を入れた大充填室４の前後方向長さを、袋カバー１１の前後方向長さとほぼ等しくすることで、袋カバー内へ枕本体１０を入れた状態での大収納室４の高さを袋カバー内収納に先だってほぼ正確に予測できる便利がある。
【図面の簡単な説明】
【図１】枕本体形成用大袋の平面図である。
【図２】図１大袋が有する充填室内へ、充填物を入れて形成した枕本体の断面図である。
【図３】図１大袋を変形例に示す平面図である。
【図４】図３大袋の充填室内へ充填物を入れて形成した枕本体の断面図である。
【図５】枕本体を入れる袋カバーの平面図である。
【図６】枕の左右方向での縦断面図である。
【図７】枕前後方向での縦断面図である。
【符号の説明】
１…大袋                              ２…接合線
４…大充填室                  ５…小充填室
５ａ…中央部小充填室            ６…出入部
７…充填物                                        ８…アローアンス
９…遊び布                                        １０…枕本体
１１…袋カバー                                    ２１…枕
【図１】
2005021494.tif 000003
【図２】
2005021494.tif 000004
【図３】
2005021494.tif 000005
【図４】
2005021494.tif 000006
【図５】
2005021494.tif 000007
【図６】
2005021494.tif 000008
【図７】
2005021494.tif 000009